(57)【要約】【課題】カーテン自体の裾部全体をたくし上げるようにするか、カーテン本体の裾部に調整裾部材を着脱自在に連結するか等によって、カーテンの裾部下縁位置を上下自在に調整変更できるようにする。【解決手段】カーテン本体１の高さ方向に沿う中間部位の適位置に第１連結部材１１を配置し、カーテン本体１の下縁位置に第２連結部材１２を配置し、第１連結部材１１の上方部分を更にはカーテン本体１の裾部をたくし上げるようにして第１連結部材１１、第２連結部材１２相互をカーテン本体１を挟み込んで連結自在とする。たくし上げた後の第１連結部材１１、第２連結部材１２相互の連結で、カーテン本体１の裾部位置は上下方向で自在に調整設定してこれを保持する。また、裾部分は、カーテン本体とは別体とした調整裾部材として、これらを連結部材相互の接合で着脱自在に連結する。【選択図】図５
2010022613.tif 000002
【特許請求の範囲】
【請求項１】
カーテン本体と、このカーテン本体に着脱自在に連結される調整裾部材とから成り、調整裾部材の上下縁それぞれには、カーテン本体の裾部自体をたくし上げるように折り畳み持ち上げた状態にして、カーテン本体の表裏でカーテン本体を挟み込んで相互に連結可能な第１連結部材、第２連結部材が設けられていることを特徴する裾上げ式カーテン。
【請求項２】
カーテン本体の高さ方向に沿う中間部位の適位置に第１連結部材を配置し、カーテン本体の下縁位置に第２連結部材を配置し、第１連結部材の上方部分を更にはカーテン本体の裾部をたくし上げるようにして第１連結部材、第２連結部材相互をカーテン本体を挟み込んで連結自在としたことを特徴とする裾上げ式カーテン。
【請求項３】
カーテン本体と、このカーテン本体に着脱自在に連結される調整裾部材とから成り、カーテン本体と調整裾部材とは、カーテン本体の下縁に設けられた本体連結部材と、調整裾部材の上縁、下縁に設けられた裾部連結部材、下縁連結部材とが相互に着脱自在に連結されることで、両者が一体状に結合あるいは分離されるものとなっていることを特徴とする裾上げ式カーテン。
【請求項４】
連結部材は、カーテン本体、調整裾部材それぞれの幅員方向に沿う長さの棒状に形成すると共に、連結部材相互は磁着可能な接合構成としてある請求項１乃至３のいずれかに記載の裾上げ式カーテン。
【発明の詳細な説明】
【技術分野】
【０００１】
本発明は、カーテンの裾部下縁をたくし上げるように裾部位置を上下自在に調整可能に移動し、あるいは調整裾部を着脱することにより、カーテン全体の長さ（高さ）を適宜に変更調整することで適度な採光調節と装飾機能とを兼備できるようにした裾上げ式カーテンに関する。
【背景技術】
【０００２】
従来、カーテンの裾部を上げ下げ操作するための装置として、例えば特許文献１に開示されている二重カーテンがある。これは、内側の非透光性カーテンの裾部に固定されてその裾部を昇降させる昇降コードと、この昇降コードを挿通ガイドする部材であって非透光性カーテンの上下方向に沿って所要ピッチで装着されたコードメールと、前記昇降コードの一端に止着されたリング状引手部と、前記カーテンの裾部を任意レベルに保持可能なストッパーとから構成した昇降機構部を有するものである。
【０００３】
また、特許文献２に開示されているカーテン裾上げ方法がある。これは、ポリアミド繊維を主成分とした不織布テープを、カーテン生地の下部を折り返した折返し部の内側に挟み込み、折返し部の外面を加熱することで不織布テープとカーテン生地とが融着し、これによりカーテンの裾上げが完了するようにしたものである。
【０００４】
しかしながら、これらの例えば特許文献１の二重カーテンでは、二重カーテンに対し、昇降コード、コードメール、リング状引手部、ストッパー等の各部材を設けていることから、カーテン自体が複雑な構成となり、しかも製造に要するコストも掛かり過ぎてしまう。また、特許文献２のカーテン裾上げ方法では、不織布テープを挟み込んだ折返し部を、外面から加熱することで不織布テープとカーテン生地とを融着させることから、いったん裾上げされたカーテンは元の状態に戻すことが困難である。
【０００５】
これらを解消すべく、本出願人は特許文献３に示されるカーテン裾部引き上げ具を提案した。これは、カーテンの裾部において、カーテンを前後から挟み込むようにしたマグネットによって互いに磁着接合する表裏一対の装飾挟持部材と、両装飾挟持部材同士を連繋する索状の装飾連繋部材とから成り、装飾連繋部材によってカーテンの裾部を部分的にでも持ち上げさせた状態にしておいて装飾挟持部材相互にてカーテンを挟み込み、支持するようにしたものである。
【特許文献１】特開２０００−２０１８０２号公報
【特許文献２】特開平８−１１２１９２号公報
【特許文献３】実用新案登録第３１４１８８６号公報
【発明の開示】
【発明が解決しようとする課題】
【０００６】
ただ、特許文献３のカーテン裾部引き上げ具によると、カーテン裾部は部分的なドレープ状の、正面からみて波形を呈するように引き上げられたものとなるから、裾部分下縁の全体が直線状を呈するように引き上げられたものとはならず、場合によっては不揃いな、不体裁な印象を与えることがある。また、裾部分位置を高めに設定するように、裾部のたくし上げ長さ部分を大きくすると、重量的に嵩張ることにもなり、マグネットの磁着力ではそれに耐え得ない場合もあった。
【０００７】
また、カーテンの高さ調整のために裾部分をたくし上げるように設けられている牽引紐材による場合には、カーテン上部等にその牽引力が負荷されることでカーテン支持構造の堅牢化が必要となる。そのために、更にはカーテン上部を釘止めしたり、補強部材を取り付けたりの面倒な手間がかかることがあった。
【０００８】
そこで、本発明は叙上のような従来存した諸事情に鑑み創出されたもので、カーテン自体の裾部全体をたくし上げるようにするか、カーテンの裾部に調整裾部材を着脱自在に連結するか等によって、カーテンの裾部下縁位置を上下自在に調整変更できるようにし、また調整後の裾部の下縁位置を確実に維持でき、しかもカーテン長さが種々に異なる場合でも、その長さ調整、下縁位置の保持が簡単に行えるようにした裾上げ式カーテンを提供することを目的とする。
【課題を解決するための手段】
【０００９】
上述した課題を解決するため、本発明にあっては、その第１は、カーテン本体１と、このカーテン本体１に着脱自在に連結される調整裾部材２とから成り、調整裾部材２の上下縁それぞれには、カーテン本体１の裾部自体をたくし上げるように折り畳み持ち上げた状態にして、カーテン本体１の表裏でカーテン本体１を挟み込んで相互に連結可能な第１連結部材１１、第２連結部材１２が設けられていることを特徴する。
その第２は、カーテン本体１の高さ方向に沿う中間部位の適位置に第１連結部材１１を配置し、カーテン本体１の下縁位置に第２連結部材１２を配置し、第１連結部材１１の上方部分を更にはカーテン本体１の裾部をたくし上げるようにして第１連結部材１１、第２連結部材１２相互をカーテン本体１を挟み込んで連結自在としたことを特徴とする。
その第３は、カーテン本体１と、このカーテン本体１に着脱自在に連結される調整裾部材２とから成り、カーテン本体１と調整裾部材２とは、カーテン本体１の下縁に設けられた本体連結部材２１と、調整裾部材２の上縁、下縁に設けられた裾部連結部材２２、下縁連結部材２３とが相互に着脱自在に連結されることで、両者１，２が一体状に結合あるいは分離されるものとなっていることを特徴とする。
また、連結部材１１，１２，２１，２２，２３は、カーテン本体１、調整裾部材２それぞれの幅員方向に沿う長さの棒状に形成すると共に、連結部材１１，１２，２１，２２，２３相互は磁着可能な接合構成として構成することができる。
【００１０】
以上のように構成された裾上げ式カーテンにあっては、カーテン本体１とは別体の調整裾部材２は、カーテン本体１の裾部をたくし上げた状態で第１連結部材１１、第２連結部材１２相互がカーテン本体１を挟み込んで連結されることで、そのたくし上げ長さの選定でカーテン全体の裾部位置を上下に調整させる。
別体の調整裾部材２は、本体連結部材２１、裾部連結部材２２、下縁連結部材２３によってカーテン本体１に着脱自在に連結されることで、両者１，２が一体状に結合されて裾部位置を下方に、あるいは分離されて裾部位置を上方にそれぞれ位置決めさせる。
カーテン本体１の中間部位の第１連結部材１１、カーテン本体１の下縁位置の第２連結部材１２それぞれによってカーテン本体１の中間部分、裾部分をたくし上げるようにして第１連結部材１１、第２連結部材１２相互によってカーテン本体１を挟み込んだ連結は、カーテンの裾部位置の上下調整を細かく設定させ、その自在性を増大させる。
【発明の効果】
【００１１】
以上に説明したような本発明によれば、適当箇所で吊持使用されているカーテンにおいて、その裾部全体を調整裾部材２によってたくし上げるようにして、またその着脱によってカーテン全体における裾部下縁位置を上下自在に調整でき、その調整作業も面倒でなく簡単であるから取り扱いも容易である。しかもその上下調整に際し、カーテン自体に部分的にでも負荷を掛けないことで損傷させる虞もなく、連結部材１１，１２，２１，２２，２３を付加するのみであることでカーテン全体を重量的に嵩張ったものとせずに済む。
【００１２】
すなわちこれは、本発明が、カーテン本体１、このカーテン本体１とは一体あるいは別体の調整裾部材２から成り、カーテン本体１、調整裾部材２それぞれにおける連結部材１１，１２，２１，２２，２３相互間でカーテン本体１をたくし上げ、また、カーテン本体１自体を挟み込んだ状態での接合連結によってカーテンの裾部位置を上下自在に調整できるようにしたからである。
【００１３】
また、調整裾部材２の上下縁それぞれには、カーテン本体１の裾部自体をたくし上げるように折り畳み持ち上げた状態にして、カーテン本体１の表裏でカーテン本体１を挟み込んで相互に連結可能な第１連結部材１１、第２連結部材１２が設けられているから、カーテン本体１であるカーテン自体の裾部位置の上下位置を自在に調整できる。
【００１４】
カーテン本体１の中間部位に第１連結部材１１を、カーテン本体１の下縁位置に第２連結部材１２をそれぞれ配置し、第１連結部材１１の上方部分を更にはカーテン本体１の裾部をたくし上げるようにして第１連結部材１１、第２連結部材１２相互によってカーテン本体１を挟み込んで連結自在としてあるから、カーテン本体１自体の裾部位置を、カーテン本体１の中間部分、裾部分それぞれのたくし上げ長さによって自在に調整できる。また、そのたくし上げ長さの調整設定によって、カーテン自体の裾部位置を細かに変動させて位置決めできるから、便利である。
【００１５】
カーテン本体１とは別体の調整裾部材２を、本体連結部材２１、裾部連結部材２２、下縁連結部材２３相互の連結によって着脱自在とすることで、カーテン本体１自体の下縁あるいはカーテン本体１に連結した調整裾部材２の下縁それぞれによってカーテン自体の裾部位置を選定できる。
【００１６】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１７】
以下、図面を参照して本発明を実施するための最良の一形態を説明する。図において示される符号１はカーテン本体であり、このカーテン本体１自体は使用場所に対応した、例えば開口部である窓大きさに沿う縦幅員、横幅員を備えたほぼ矩形状に形成されている。また、その使用目的に対応して例えば遮光性、保温性、遮音性等の機能を有するような各種素材によって、必要であれば表裏で素材を異ならしめる等の複合形態として形成されている。
【００１８】
このカーテン本体１は、その上縁にカーテン本体１を吊持するための所定径の棒状の吊持材５が設けられており、この吊持材５はカーテン本体１の上縁に形成した袋筒内に挿通されていて、袋筒から外出する両端部分が、カーテン本体１の取付場所等に設置されているフック部材Ｆに係止されることでカーテン本体１自体が支持されるようにしてある。
【００１９】
また、カーテン本体１には、その下縁に、カーテン本体１の素材と例えば同様な素材によって形成された調整裾部材２が着脱自在に連結されるようになっており、この調整裾部材２の幅員はカーテン本体１と同様に形成されている。
【００２０】
そして、この調整裾部材２の上下縁それぞれには、カーテン本体１を挟み込んで相互に連結可能な第１連結部材１１、第２連結部材１２が設けられている。これらの第１連結部材１１、第２連結部材１２は、例えば相互に磁着可能な構成としてあり、接合面において一方がＳ極、他方がＮ極となった磁石を備えた、断面で矩形状、丸形状、三角形状等を呈する帯状材とし、調整裾部材２の上下縁それぞれに形成した例えば袋筒１３内に収容保持してある。もとより、いずれか一方が磁石材で、他方がこの磁石材が磁着可能な金属材で形成されていても良いのであり、また、第１連結部材１１、第２連結部材１２それぞれの全域が磁着可能であるとするも、対応する接合箇所が部分的に磁着可能となっていても良く、望ましくは軽量な素材によって形成される。
【００２１】
尚、袋筒１３はカーテン本体１の幅方向に沿って形成されており、それぞれの連結部材１１，１２を収容した状態では、カーテン本体１の両縁部分で開放されているも、閉塞されているもいずれも任意である。ただ、閉塞構造とされることで、連結部材１１，１２それぞれの脱落が阻止できると共に良好な体裁を維持できる利点がある。
【００２２】
この調整裾部材２は、図２、図３に示すように二つ折り状にしてカーテン本体１の裾部下方から、カーテン本体１の裾部自体をたくし上げるように折り畳み持ち上げた状態にして、カーテン本体１の表裏でカーテン本体１を挟み込むように相互に連結して使用する。こうすることで、二つ折りした調整裾部材２の下縁である折返し部分がカーテン全体の裾部縁となり、カーテン本体１の裾部の折り畳み量を調整することでカーテン自体の高さを自在に調整できるようにしてある。
【００２３】
また、図４乃至図６においては別の実施の形態が示されている。この実施の形態においては、カーテン本体１の高さ方向に沿う中間部位の適位置に第１連結部材１１を配置し、カーテン本体１の下縁位置に第２連結部材１２を配置し、第１連結部材１１の上方部分を更にはカーテン本体１の裾部をたくし上げるようにして第１連結部材１１、第２連結部材１２相互を、カーテン本体１を挟み込んで連結自在としたものである。このときの第１連結部材１１と第２連結部材１２との間隔幅員は適宜に設定され、カーテン本体１自体の全体高さを、例えば高さ調整前に比し大きい範囲で変更したい場合であれば第１連結部材１１位置をカーテン本体１の上方側の位置に設定し、逆に小さい範囲で変更したい場合であれば第１連結部材１１をカーテン本体１の下方側の位置に設定すれば良く、いずれも任意に選択できる。
【００２４】
図５、図６に示すように、カーテン本体１の中間に位置する第１連結部材１１をカーテン本体１のいずれか一方面側の上方に持ち上げると共に、カーテン本体１の下縁に位置する第２連結部材１２を他方面側で上方に持ち上げて、カーテン本体１における第１連結部材１１の上方位置でカーテン本体１を挟み込むようにして、第１連結部材１１、第２連結部材１２相互を接合する。こうすることで、カーテン本体１の裾部は調整前に比し、その上方に位置決めされた状態でカーテン本体１の裾部下縁を設定できる。あるいは図示を省略したが、第１連結部材１１と第２連結部材１２との間の部分を二つ折りした状態で第２連結部材１２を第１連結部材１１に接合することもできる。
【００２５】
図７においては更に別の実施の形態が示されている。この実施の形態においては、カーテン本体１と調整裾部材２とは、カーテン本体１の下縁に設けられた本体連結部材２１と、調整裾部材２の上縁に設けられた裾部連結部材２２とが相互に着脱自在に連結されることで、両者が一体状に結合、あるいは分離されるものとなっている。本体連結部材２１と裾部連結部材２２とは、上述した第１連結部材１１と第２連結部材１２との接合と同様に相互に磁着可能な構成としてあることに変わりはない。また、調整裾部材２の下縁は、図示のように必要があれば、重りを兼ねた下縁連結部材２３が設けられる。
【００２６】
この実施の形態によれば、本体連結部材２１と裾部連結部材２２との相互の接合によって、でカーテン全体をカーテン本体１自体の長さ及び調整裾部材２との合計長さのものとして構成でき、調整裾部材２の取り外しによってカーテン本体１のみとすることができる。また、調整裾部材２の上下縁に裾部連結部材２２、下縁連結部材２３それぞれが設けられることで、カーテン本体１に対して図３に示すように使用することも、図５、図６に示すように使用することもできる利点がある。
【００２７】
また、図８においては、裾上げ調整後の連結部材１１，１２，２１，２２，２３箇所を例えば跨いで取り付けられるものとした装飾材であり、必要に応じて取り付けられることで、連結箇所を装飾してその間の一体性等を図ることができるようにしてある。
【００２８】
尚、図示にあっては、連結部材１１，１２，２１，２２，２３相互間による連結構造につき、磁石による磁着構造によるものとして説明したが、場合によってはカーテン本体１生地材を挟み込みながらも雌雄嵌合によるスナップ構造、ピン構造、グリップ構造その他によることも可能である。
【００２９】
次にこれの使用の一例を説明すると、カーテン本体１とは別に構成された調整裾部材２による場合には、図２、図３に示すように上方に向けて二つ折り状にされた調整裾部材２によってカーテン本体１の裾部をたくし上げて、調整裾部材２における第１連結部材１１、第２連結部材１２相互によってカーテン本体１を挟むように連結、接合すればよい。こうすることで、カーテン本体１自体の裾部位置を調整する。
【００３０】
また、図５、図６に示すようにカーテン本体１と調整裾部材２とが一体状である場合には、第１連結部材１１によってカーテン本体１を、第２連結部材１２によって調整裾部材２をそれぞれ持ち上げるようにしてたくし上げ、同様に第１連結部材１１、第２連結部材１２相互によってカーテン本体１を挟むように連結、接合すればよい。こうすることで、調整裾部材２と一体状のカーテン本体１の全体の裾部位置を調整する。
【００３１】
更には図７に示すように、カーテン本体１に対して別に構成された調整裾部材２を着脱することでカーテン全体の長さを選定すれば良く、この場合には図２、図３あるいは図５、図６におけると同様にして使用することもできる。
【図面の簡単な説明】
【００３２】
【図１】本発明を実施するための最良の形態における一部切欠分解斜視図である。
【図２】同じく使用するときの一部切欠斜視図である。
【図３】同じくカーテンの裾部を引き上げ、所望の高さ位置まで持ち上げてこれを保持した状態を示す一部切欠斜視図である。
【図４】同じく他の実施の形態において、調整裾部材をカーテン本体に一連に接続使用している状態の一部切欠斜視図である。
【図５】同じく調整裾部材による裾部を持ち上げて、裾部位置を高くするときの作業途中の一部切欠斜視図である。
【図６】同じく裾部を持ち上げて裾部を高くした状態の一部切欠斜視図である。
【図７】同じく調整裾部材を取り外した状態の一部切欠斜視図である。
【図８】同じく裾部位置を高くした調整裾部材とカーテン本体との間で連続的模様を表現した場合の一部切欠斜視図である。
【符号の説明】
【００３３】
Ｆ…フック部材
１…カーテン本体                        ２…調整裾部材
３…装飾材                              ５…吊持材
１１…第１連結部材                      １２…第２連結部材
１３…袋筒
２１…本体連結部材                      ２２…裾部連結部材
２３…下縁連結部材
【図１】
2010022613.tif 000003
【図２】
2010022613.tif 000004
【図３】
2010022613.tif 000005
【図４】
2010022613.tif 000006
【図５】
2010022613.tif 000007
【図６】
2010022613.tif 000008
【図７】
2010022613.tif 000009
【図８】
2010022613.tif 000010